【手続補正書】
【提出日】平成17年6月9日(2005.6.9)
【手続補正１】
【補正対象書類名】明細書
【補正対象項目名】特許請求の範囲
【補正方法】変更
【補正の内容】
【特許請求の範囲】
【請求項１】
多値画像データにノイズを多重化し、ノイズを多重化した分布による目視可能な付加情報を埋め込む画像処理装置であって、
画素単位にノイズを多重化する／しないを示す情報を、前記付加情報として入力する入力手段と、
前記付加情報に基づき、多値画像データ中の注目画素が、ノイズを多重化する位置にあるのか否かを判定する判定手段と、
該判定手段によって、注目画素の位置がノイズを多重化する位置にあると判定した場合、注目画素を構成するビット構成のうち、第１のビット領域の状態に基づき、ノイズを多重化する第２のビット領域を特定する特定手段と、
該特定手段で特定された注目画素の、第２のビット領域に対して可逆的にビット情報を変更する変更手段と
を備えることを特徴とする画像処理装置。
【請求項２】
前記多値画像データが輝度値を基準とする多値画像データである場合、前記第１のビット領域は最上位ビットを含む上位に位置する所定数のビットであり、前記第２のビット領域は最下位ビットを含み、前記第２のビット領域の値に応じて変動する下位ｍビットとすることを特徴とする請求項１に記載の画像処理装置。
【請求項３】
更に、ノイズの多重化させる強度に関する情報を設定する手段を備え、
前記特定手段は、設定された強度に関する情報及び前記第１のビット領域の状態に基づいて、前記第２のビット領域を特定することを特徴とする請求項１又は２に記載の画像処理装置。
【請求項４】
ノイズが可逆的に埋め込まれ、目視可能な付加情報が多重化された多値画像データから、前記付加情報を除去する画像処理装置であって、
画素単位にノイズを多重化する／しないを示す情報を、前記付加情報として入力する入力手段と、
前記付加情報に基づき、多値画像データ中の注目画素が、ノイズが多重化された位置にあるのか否かを判定する判定手段と、
該判定手段によって、注目画素がノイズの多重化された位置にあると判定した場合、注目画素を構成するビット構成のうち、第１のビット領域の状態に基づき、ノイズが多重化された第２のビット領域を特定する特定手段と、
該特定手段で特定された注目画素の第２のビット領域の状態を、ノイズ多重化した際の逆変換することで、多重化する以前の状態に復元する復元手段と
を備えることを特徴とする画像処理装置。
【請求項５】
多値画像データを所定サイズの画素ブロック単位に周波数成分データに変換して圧縮符号化すると共に、前記多値画像にノイズを多重化し、ノイズを多重化した分布による目視可能な付加情報を埋め込む画像処理装置であって、
前記所定サイズの画素ブロック単位に、ノイズを多重化する／しないを示す情報を、前記付加情報として入力する入力手段と、
入力した前記付加情報に基づき、注目画素ブロックが、ノイズを多重化する位置にあるのか否かを判定する判定手段と、
該判定手段によって、注目画素ブロックの位置がノイズを多重化する位置にあると判定した場合、注目画素ブロックの変換後の低周波成分を構成するデータの第１のビット領域の状態に基づき、ノイズを多重化する第２のビット領域を特定する特定手段と、
該特定手段で特定された低周波成分のデータの第２のビット領域に対して可逆的にビット情報を変更する変更手段と
を備えることを特徴とする画像処理装置。
【請求項６】
前記周波数成分への変換は直交変換であって、前記低周波成分は直交変換後の直流成分であることを特徴とする請求項５に記載の画像処理装置。
【請求項７】
前記周波数成分への変換はウェーブレット変換であって、前記低周波成分は複数回のウェーブレット変換によって生成される低周波成分のブロックのデータであることを特徴とする請求項５に記載の画像処理装置。
【請求項８】
前記多値画像データが輝度値を基準とする多値画像データである場合、前記第１のビット領域は最上位ビットを含む上位に位置する所定数のビットであり、前記第２のビット領域は最下位ビットを含み、前記第２のビット領域の値に応じて変動する下位ｍビットとすることを特徴とする請求項５乃至７のいずれか１項に記載の画像処理装置。
【請求項９】
更に、ノイズの多重化させる強度に関する情報を設定する手段を備え、
前記特定手段は、設定された強度に関する情報及び前記第１のビット領域の状態に基づいて、前記第２のビット領域を特定することを特徴とする請求項５乃至８のいずれか１項に記載の画像処理装置。
【請求項１０】
ノイズが可逆的に埋め込まれ、目視可能な付加情報が多重化され、所定サイズの画素ブロック単位に周波数成分データに変換され圧縮符号化された多値画像データから、前記付加情報を除去する画像処理装置であって、
前記所定サイズの画素ブロック単位に、ノイズを多重化する／しないを示す情報を、前記付加情報として入力する入力手段と、
入力した前記付加情報に基づき、注目画素ブロックが、ノイズを多重化する位置にあるのか否かを判定する判定手段と、
該判定手段によって、注目画素ブロックの位置がノイズを多重化する位置にあると判定した場合、注目画素ブロックの周波数変換後の低周波成分を構成するデータの第１のビット領域の状態に基づき、ノイズが多重化された第２のビット領域を特定する特定手段と、
該特定手段で特定された注目画素の第２のビット領域の状態を、ノイズ多重化した際の逆変換することで、多重化する以前の状態に復元する復元手段と
を備えることを特徴とする画像処理装置。
【請求項１１】
多値画像データにノイズを多重化し、ノイズを多重化した分布による目視可能な付加情報を埋め込む画像処理方法であって、
画素単位にノイズを多重化する／しないを示す情報を、前記付加情報として入力する入力工程と、
前記付加情報に基づき、多値画像データ中の注目画素が、ノイズを多重化する位置にあるのか否かを判定する判定工程と、
該判定工程によって、注目画素の位置がノイズを多重化する位置にあると判定した場合、注目画素を構成するビット構成のうち、第１のビット領域の状態に基づき、ノイズを多重化する第２のビット領域を特定する特定工程と、
該特定工程で特定された注目画素の、第２のビット領域に対して可逆的にビット情報を変更する変更工程と
を備えることを特徴とする画像処理方法。
【請求項１２】
ノイズが可逆的に埋め込まれ、目視可能な付加情報が多重化された多値画像データから、前記付加情報を除去する画像処理方法であって、
画素単位にノイズを多重化する／しないを示す情報を、前記付加情報として入力する入力工程と、
前記付加情報に基づき、多値画像データ中の注目画素が、ノイズが多重化された位置にあるのか否かを判定する判定工程と、
該判定工程によって、注目画素がノイズの多重化された位置にあると判定した場合、注目画素を構成するビット構成のうち、第１のビット領域の状態に基づき、ノイズが多重化された第２のビット領域を特定する特定工程と、
該特定工程で特定された注目画素の第２のビット領域の状態を、ノイズ多重化した際の逆変換することで、多重化する以前の状態に復元する復元工程と
を備えることを特徴とする画像処理方法。
【請求項１３】
多値画像データを所定サイズの画素ブロック単位に周波数成分データに変換して圧縮符号化すると共に、前記多値画像にノイズを多重化し、ノイズを多重化した分布による目視可能な付加情報を埋め込む画像処理方法であって、
前記所定サイズの画素ブロック単位に、ノイズを多重化する／しないを示す情報を、前記付加情報として入力する入力工程と、
入力した前記付加情報に基づき、注目画素ブロックが、ノイズを多重化する位置にあるのか否かを判定する判定工程と、
該判定工程によって、注目画素ブロックの位置がノイズを多重化する位置にあると判定した場合、注目画素ブロックの変換後の低周波成分を構成するデータの第１のビット領域の状態に基づき、ノイズを多重化する第２のビット領域を特定する特定工程と、
該特定工程で特定された低周波成分のデータの第２のビット領域に対して可逆的にビット情報を変更する変更工程と
を備えることを特徴とする画像処理方法。
【請求項１４】
ノイズが可逆的に埋め込まれ、目視可能な付加情報が多重化され、所定サイズの画素ブロック単位に周波数成分データに変換され圧縮符号化された多値画像データから、前記付加情報を除去する画像処理方法であって、
前記所定サイズの画素ブロック単位に、ノイズを多重化する／しないを示す情報を、前記付加情報として入力する入力工程と、
入力した前記付加情報に基づき、注目画素ブロックが、ノイズを多重化する位置にあるのか否かを判定する判定工程と、
該判定工程によって、注目画素ブロックの位置がノイズを多重化する位置にあると判定した場合、注目画素ブロックの周波数変換後の低周波成分を構成するデータの第１のビット領域の状態に基づき、ノイズが多重化された第２のビット領域を特定する特定工程と、
該特定工程で特定された注目画素の第２のビット領域の状態を、ノイズ多重化した際の逆変換することで、多重化する以前の状態に復元する復元工程と
を備えることを特徴とする画像処理方法。
【請求項１５】
請求項１乃至１０のいずれか１項に記載の画像処理装置の機能をコンピュータに実現させるためのコンピュータプログラム。
【請求項１６】
請求項１５に記載のコンピュータプログラムを格納したことを特徴とするコンピュータ可読記憶媒体。